【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
誘導磁気共鳴信号を受信するアンテナ・ループと、送信（ＷＴｘ）アンテナ及び受信（ＷＲｘ）アンテナを含むアンテナ列とを備える少なくとも１つの無線ＲＦコイルと、
複数の送信（ＢＴｘ）アンテナ及び受信（ＢＲｘ）アンテナを含むアンテナ列（ＡＮＴ）を有するベース送信器システムであって、選択された空間ダイバーシチ伝送法を使用して前記少なくとも１つの無線ＲＦコイルと通信するベース送信器システムと、
前記ベース送信器システム及び前記少なくとも１つの無線ＲＦコイルを制御する少なくとも１つのコントローラとを備える磁気共鳴システムであって、
前記少なくとも１つのコントローラは、
前記ベース送信器システムと前記少なくとも１つの無線ＲＦコイルとの間の通信に使用可能な送信アンテナ及び受信アンテナのうちの少なくとも一方のアンテナの数を決定し、
前記ベース送信器システムの前記複数の送信（ＢＴｘ）アンテナ及び前記受信（ＢＲｘ）アンテナを、前記少なくとも１つの無線ＲＦコイルの前記送信（ＷＴｘ）アンテナ及び前記受信（ＷＲｘ）アンテナに結合して、対応するアンテナ・ペアリングを形成し、それぞれのアンテナ・ペアリングの信号特性情報を決定し、
前記ベース送信器システムと前記少なくとも１つの無線ＲＦコイルとの間の所与のタイプの情報の通信を可能にするために、前記少なくとも１つの無線ＲＦコイルと通信するための前記空間ダイバーシチ伝送法を、決定された送信アンテナ及び受信アンテナの前記数並びに決定された前記信号特性情報に基づいて選択し、
前記ベース送信器システムと前記少なくとも１つの無線ＲＦコイルとの間の少なくとも１つの通信チャネルを、選択された前記空間ダイバーシチ伝送法に従って確立する、
磁気共鳴システム。
【請求項２】
前記少なくとも１つのコントローラは、前記ベース送信器システムと前記少なくとも１つの無線ＲＦコイルとの間の通信を可能にする前記少なくとも１つの無線ＲＦコイルにおける前記決定されたアンテナの数に従って、前記選択された空間ダイバーシチ伝送法を、多入力多出力、多入力単出力、単入力多出力及び単入力単出力伝送法のうちの少なくとも１つの伝送法から決定する、請求項１に記載の磁気共鳴システム。
【請求項３】
前記少なくとも１つのコントローラは、
前記使用可能な送信アンテナ及び受信アンテナの数が１以下であると決定されたときには多入力単出力伝送法と単入力単出力伝送法とのうちの一方の伝送法を選択し、
前記使用可能な送信アンテナ及び受信アンテナの数が１よりも大きいと決定されたときには多入力多出力伝送法と単入力多出力伝送法とのうちの一方の伝送法を選択する、請求項１に記載の磁気共鳴システム。
【請求項４】
前記少なくとも１つのコントローラは、使用可能な前記アンテナ・ペアリングを分類し、前記使用可能なアンテナ・ペアリングの前記分類に基づいてアンテナ・ペアリングを選択する、請求項１に記載の磁気共鳴システム。
【請求項５】
前記少なくとも１つのコントローラは、前記ベース送信器システムと前記少なくとも１つの無線ＲＦコイルとの間で送信されるべきタイプの情報を決定し、決定された前記タイプの情報を送信するのに適した、所与の分類を有する使用可能な前記アンテナ・ペアリングを選択する、請求項４に記載の磁気共鳴システム。
【請求項６】
見通し線と分類された１つ又は複数のアンテナ・ペアリングが、リアルタイム・オペレーティング・システム情報を伝送するために選択され、障害物を有する直接経路／直接信号と分類された１つ又は複数のアンテナ・ペアリングが、高データ速度情報を伝送するために選択される、請求項５に記載の磁気共鳴システム。
【請求項７】
磁気共鳴システムを動作させる方法であって、前記方法は、少なくとも１つのコントローラによって制御され、前記方法は、
アンテナ・ループと送信（ＷＴｘ）アンテナ及び受信（ＷＲｘ）アンテナを含むアンテナ列とを備える少なくとも１つの無線ＲＦコイルから、誘導磁気共鳴信号を受信するステップと、
前記少なくとも１つの無線ＲＦコイルと、複数の送信（ＢＴｘ）アンテナ及び受信（ＢＲｘ）アンテナを含むアンテナ列を有するベース送信器システムとの間で、選択された空間ダイバーシチ伝送法を使用して通信するステップと、
前記ベース送信器システムと前記少なくとも１つの無線ＲＦコイルとの間の通信に使用可能な前記送信アンテナと前記受信アンテナのうちの少なくとも一方のアンテナの数を決定するステップと、
前記ベース送信器システムの前記複数の送信（ＢＴｘ）アンテナ及び前記受信（ＢＲｘ）アンテナを、前記少なくとも１つの無線ＲＦコイルの前記送信（ＷＴｘ）アンテナ及び前記受信（ＷＲｘ）アンテナに結合して、対応するアンテナ・ペアリングを形成するステップと、
それぞれの前記アンテナ・ペアリングの信号特性情報を決定するステップと、
前記ベース送信器システムと前記少なくとも１つの無線ＲＦコイルとの間の所与のタイプの情報の通信を可能にするために、前記少なくとも１つの無線ＲＦコイルと通信するための前記空間ダイバーシチ伝送法を、決定された送信アンテナ及び受信アンテナの前記数並びに決定された前記信号特性情報に基づいて選択するステップと、
前記ベース送信器システムと前記少なくとも１つの無線ＲＦコイルとの間の少なくとも１つの通信チャネルを、選択された前記空間ダイバーシチ伝送法に従って確立するステップと、
を有する、方法。
【請求項８】
前記ベース送信器システムと前記少なくとも１つの無線ＲＦコイルとの間の通信を可能にする前記少なくとも１つの無線ＲＦコイルにおける前記決定されたアンテナの数に従って、選択された前記空間ダイバーシチ伝送法を、多入力多出力、多入力単出力、単入力多出力及び単入力単出力伝送法のうちの少なくとも１つの伝送法から決定するステップを含む、請求項７に記載の方法。
【請求項９】
使用可能な送信アンテナ及び受信アンテナの数が１以下であると決定されたときに多入力単出力伝送法と単入力単出力伝送法のうちの一方の伝送法を選択するステップと、
使用可能な送信アンテナ及び受信アンテナの数が１よりも大きいと決定されたときに多入力多出力伝送法と単入力多出力伝送法のうちの一方の伝送法を選択するステップと、
を有する、請求項７に記載の方法。
【請求項１０】
使用可能な前記アンテナ・ペアリングを分類するステップと、
前記使用可能なアンテナ・ペアリングの前記分類に基づいてアンテナ・ペアリングを選択するステップと、
を有する、請求項７に記載の方法。
【請求項１１】
前記ベース送信器システムと前記少なくとも１つの無線ＲＦコイルとの間で送信されるべきタイプの情報を決定するステップと、
決定された前記タイプの情報を送信するのに適した、所与の分類を有する前記使用可能なアンテナ・ペアリングを選択するステップと、
を有する、請求項１０に記載の方法。
【請求項１２】
リアルタイム・オペレーティング・システム情報を伝送するために、見通し線と分類された１つ又は複数のアンテナ・ペアリングを選択するステップと、
高データ速度情報を伝送するために、障害物を有する直接経路／直接信号と分類された１つ又は複数のアンテナ・ペアリングを選択するステップと、
を有する、請求項１１に記載の方法。
【請求項１３】
コンピュータ可読の非一時的メモリ媒体上に記憶された、磁気共鳴システム用のコンピュータ・プログラムであって、前記コンピュータ・プログラムはコンピュータ・プログラム命令を含み、前記コンピュータ・プログラム命令は、プロセッサによって実行されたときに、
アンテナ・ループと送信（ＷＴｘ）アンテナ及び受信（ＷＲｘ）アンテナを含むアンテナ列とを備える少なくとも１つの無線ＲＦコイルから、誘導磁気共鳴信号を受信するステップと、
前記少なくとも１つの無線ＲＦコイルと、複数の送信（ＢＴｘ）アンテナ及び受信（ＢＲｘ）アンテナを含むアンテナ列を有するベース送信器システムとの間で、選択された空間ダイバーシチ伝送法を使用して通信するステップと、
前記ベース送信器システムと前記少なくとも１つの無線ＲＦコイルとの間の通信に使用可能な前記送信アンテナと前記受信アンテナのうちの少なくとも一方のアンテナの数を決定するステップと、
前記ベース送信器システムの前記複数の送信（ＢＴｘ）アンテナ及び前記受信（ＢＲｘ）アンテナを、前記少なくとも１つの無線ＲＦコイルの前記送信（ＷＴｘ）アンテナ及び前記受信（ＷＲｘ）アンテナに結合して、対応するアンテナ・ペアリングを形成するステップと、
それぞれの前記アンテナ・ペアリングの信号特性情報を決定するステップと、
前記ベース送信器システムと前記少なくとも１つの無線ＲＦコイルとの間の所与のタイプの情報の通信を可能にするために、前記少なくとも１つの無線ＲＦコイルと通信するための前記空間ダイバーシチ伝送法を、決定された送信アンテナ及び受信アンテナの前記数並びに決定された前記信号特性情報に基づいて選択するステップと、
前記ベース送信器システムと前記少なくとも１つの無線ＲＦコイルとの間の少なくとも１つの通信チャネルを、選択された前記空間ダイバーシチ伝送法に従って確立するステップと、
を有する方法を、前記プロセッサに実行させる、コンピュータ・プログラム。
【請求項１４】
前記方法は、前記ベース送信器システムと前記少なくとも１つの無線ＲＦコイルとの間の通信を可能にする前記少なくとも１つの無線ＲＦコイルにおける前記決定されたアンテナの数に従って、前記選択された空間ダイバーシチ伝送法を、多入力多出力、多入力単出力、単入力多出力及び単入力単出力伝送法のうちの少なくとも１つの伝送法から決定するステップを含む、請求項１３に記載のコンピュータ・プログラム。
【請求項１５】
前記方法は、
前記使用可能な送信アンテナ及び受信アンテナの数が１以下であると決定されたときに多入力単出力伝送法と単入力単出力伝送法のうちの一方の伝送法を選択するステップと、
前記使用可能な送信アンテナ及び受信アンテナの数が１よりも大きいと決定されたときに多入力多出力伝送法と単入力多出力伝送法のうちの一方の伝送法を選択するステップと、
を有する、請求項１３に記載のコンピュータ・プログラム。